【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
盤面上に複数の入球口と始動口とを備え、
該始動口として遊技球が入球困難な閉鎖状態から入球容易な開放状態に変化可能な可変入球口を少なくとも含み、
前記始動口に入球するタイミングに起因して抽選し当選すると電動役物を開放する当り遊技を行う弾球遊技機において、
遊技状態を、前記可変入球口の前記開放状態が通常よりも延長された開放延長状態に移行させる開放延長状態移行手段と、
前記当選する確率が低い遊技中に、予め定められた遊技状態が生起すると前記複数の入球口のいずれかの入球口と関連した表示又は指示を行う表示指示手段と、を備え、
該表示指示手段による表示又は指示と関連する前記入球口に入球することに起因して前記開放延長状態移行手段により遊技状態を前記開放延長状態に移行させる、
ことを特徴とする弾球遊技機。
【請求項２】
請求項１に記載の弾球遊技機において、
予め定められた制限時間内に前記表示指示手段による表示又は指示と関連する前記複数の入球口の全てに入球させることに起因して前記開放延長状態移行手段により前記開放延長状態に移行させる、ことを特徴とする弾球遊技機。
【請求項３】
請求項１に記載の弾球遊技機において、
予め定められた制限時間内に前記表示指示手段による表示又は指示と関連する前記複数の入球口への入球数の合計が所定数以上になれば前記開放延長状態移行手段により遊技状態を前記開放延長状態に移行させる、ことを特徴とする弾球遊技機。
【手続補正２】
【補正対象書類名】明細書
【補正対象項目名】０００７
【補正方法】変更
【補正の内容】
【０００７】
上記課題に鑑みてなされた請求項１に係る発明は、
盤面上に複数の入球口と始動口とを備え、
該始動口として遊技球が入球困難な閉鎖状態から入球容易な開放状態に変化可能な可変入球口を少なくとも含み、
前記始動口に入球するタイミングに起因して抽選し当選すると電動役物を開放する当り遊技を行う弾球遊技機において、
遊技状態を、前記可変入球口の前記開放状態が通常よりも延長された開放延長状態に移行させる開放延長状態移行手段と、
前記当選する確率が低い遊技中に、予め定められた遊技状態が生起すると前記複数の入球口のいずれかの入球口と関連した表示又は指示を行う表示指示手段と、を備え、
該表示指示手段による表示又は指示と関連する前記入球口に入球することに起因して前記開放延長状態移行手段により遊技状態を前記開放延長状態に移行させる、
ことを特徴とする。
【手続補正３】
【補正対象書類名】明細書
【補正対象項目名】０００８
【補正方法】変更
【補正の内容】
【０００８】
このような構成によれば、予め定められた遊技状態が生起しても、電動役物と相違する入球口に入球させないと遊技状態は開放延長状態に移行しない。これにより、単に始動口を狙って遊技球を発射するだけでなく、電動役物と相違する入球口を狙う遊技と始動口を狙う遊技とを関連付けすることができる。
入球口が普通入賞口であれば賞球の払い出しがあるので、電動役物の作動によらなくとも賞球の払い出しがあり、所謂ベースを低下させない効果も有する。
また、遊技状態を開放延長状態に移行させるために入球させる入球口は表示指示手段により表示又は指示されるので、表示又は指示する画像と入球口とを関連付けすることができる。
【手続補正４】
【補正対象書類名】明細書
【補正対象項目名】０００９
【補正方法】変更
【補正の内容】
【０００９】
ここで、入球口とは、始動口及び電動役物以外の入球口をいい、普通入賞口だけでなく、第１種非電動役物、第２種非電動役物又はゲート（通過口）であっても良い。
開放延長状態移行手段とは、遊技状態を、可変入球口の開放状態が通常よりも延長された開放延長状態に移行させる手段であれば良い。遊技状態を可変入球口の開放状態が通常よりも延長された開放延長状態に移行させるだけでなく、始動口としての可変入球口を普通図柄の抽選に当選すれば開放する構成の場合には、併せて普通図柄の変動時間を短くする構成を採用しても良い。また、併せて普通図柄の当り確率を高くしても良く、更に始動口への入球タイミングに起因して行う抽選結果を報知する図柄（特図）の変動時間も短縮しても良い。
また、予め定められた遊技状態とは、電動役物を連続して開放しない小当りの発生を報知する小当り図柄が表示された遊技状態、始動口への入球タイミングに起因して行う抽選結果が当選でないことを示す外れ図柄が所定回数以上変動表示された遊技状態、通常遊技中の発射個数が所定数に至った遊技状態、等が考えられる。
【手続補正５】
【補正対象書類名】明細書
【補正対象項目名】００１０
【補正方法】変更
【補正の内容】
【００１０】
表示指示手段による表示又は指示と関連した入球口は、２つ以上であっても良い。このことを明確にしたのが請求項２に記載の発明である。
請求項２に記載の発明は、予め定められた制限時間内に表示指示手段による表示又は指示と関連する複数の入球口の全てに入球させることに起因して開放延長状態移行手段により遊技状態を開放延長状態に移行させる、ことを特徴とする請求項１に記載の発明である。
【手続補正６】
【補正対象書類名】明細書
【補正対象項目名】００１１
【補正方法】変更
【補正の内容】
【００１１】
請求項２に記載の発明によれば、表示指示手段による表示又は指示と関連した入球口は２つ以上なので、表示指示手段に起因した遊技をより複雑にすることができる。これにより、表示指示手段による表示又は指示と関連した入球口を狙う遊技の役割を高く又は時間を長くする効果を発揮する。予め定められた遊技状態が生起してから開放延長状態移行手段により遊技状態を開放延長状態に移行させるまでの遊技の役割を高く又は長くすることが可能となる。
盤面上の全ての普通入賞口を対象とすれば、入賞しない普通入賞口を排除する効果を有する。なお、２つ以上の入球口は、一度に表示又は指示する必要はなく、予め定められた遊技状態が生起する毎に相違させて２つ以上としても良い。
【手続補正７】
【補正対象書類名】明細書
【補正対象項目名】００１２
【補正方法】変更
【補正の内容】
【００１２】
表示指示手段による表示又は指示と関連した入球口を狙う遊技の役割を高く又は時間を長くすることができるので、遊技盤面においても対象の入球口の数を相違させる、配置を相違させる又は入球口の形状を相違させる等の盤面構成も変化に富む遊技機を提供する効果が期待できる。
【手続補正８】
【補正対象書類名】明細書
【補正対象項目名】００１３
【補正方法】変更
【補正の内容】
【００１３】
請求項３に記載の発明は、
予め定められた制限時間内に表示指示手段による表示又は指示と関連する記複数の入球口への入球数の合計が所定数以上になれば開放延長状態移行手段により遊技状態を開放延長状態に移行させる、ことを特徴とする請求項１に記載の弾球遊技機である。
【手続補正９】
【補正対象書類名】明細書
【補正対象項目名】００１４
【補正方法】変更
【補正の内容】
【００１４】
請求項３に記載の発明は、請求項２に記載の発明と同様の効果を有する。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】